Podtech/llm-jp-corpus-v4-ja_patent huggingface dataset:
【手続補正書】
【提出日】平成22年5月11日(2010.5.11)
【手続補正１】
【補正対象書類名】特許請求の範囲
【補正対象項目名】全文
【補正方法】変更
【補正の内容】
【特許請求の範囲】
【請求項１】
遊技を実行する遊技実行手段と、
当該遊技実行手段の遊技結果に基づいて遊技者に特典を付与する特典付与手段と、
前記特典の獲得期待値に対応させて設けられた複数段階の設定値の中から一の設定値を決定する設定値決定手段とを備え、
当該設定値決定手段により決定される設定値に応じて前記特典の獲得期待値が変動する遊技機において、
前記設定値決定手段により決定された設定値の示唆を行う示唆手段と、
前記決定された設定値の示唆として、第１設定値示唆を行わせる第１示唆制御手段と、
前記決定された設定値の示唆として、前記第１設定値示唆とは識別可能な第２設定値示唆を行わせる第２示唆制御手段と
を備えたことを特徴とする遊技機。
【請求項２】
遊技を実行する遊技実行手段と、
当該遊技実行手段の遊技結果に基づいて遊技者に特典を付与する特典付与手段と、
前記特典の獲得期待値に対応させて設けられた複数段階の設定値の中から一の設定値を決定する設定値決定手段とを備え、
当該設定値決定手段により決定される設定値に応じて前記特典の獲得期待値が変動する遊技機において、
前記設定値決定手段により決定された設定値の示唆を行う示唆手段と、
前記決定された設定値の示唆として、実行頻度が前記複数段階の設定値の全部又は一部において異なる第１設定値示唆を行わせる第１示唆制御手段と、
前記決定された設定値の示唆として、実行頻度が前記第１設定値示唆とは別の基準により前記複数段階の設定値の全部又は一部において異なり且つ前記第１設定値示唆とは識別可能な第２設定値示唆を行わせる第２示唆制御手段とを備え、
前記各示唆制御手段は、前記設定値決定手段により決定された設定値に応じた実行頻度で前記各設定値示唆を行わせることを特徴とする遊技機。
【請求項３】
前記複数段階の設定値の一部については前記実行頻度を同一又は略同一とし、
前記実行頻度を同一又は略同一とする設定値の種類を、前記第１設定値示唆と前記第２設定値示唆とで異ならせたことを特徴とする請求項２に記載の遊技機。
【請求項４】
前記実行頻度を同一又は略同一とする設定値の種類の数を、前記第１設定値示唆と前記第２設定値示唆とで異ならせたことを特徴とする請求項３に記載の遊技機。
【請求項５】
前記複数段階の設定値をグループ分けして、同一グループ内における各設定値の前記実行頻度を同一又は略同一とするとともに、異なるグループ間については前記実行頻度を異ならせ、
それら設定値のグループ分けの態様を前記第１設定値示唆と前記第２設定値示唆とで異ならせたことを特徴とする請求項２に記載の遊技機。
【請求項６】
前記設定値のグループ分けの数を、前記第１設定値示唆と前記第２設定値示唆とで異ならせたことを特徴とする請求項５に記載の遊技機。
【請求項７】
特典の獲得期待値がそれぞれ異なる第１遊技状態と第２遊技状態とを設定し、
前記第１示唆制御手段は、前記第１遊技状態において前記第１設定値示唆を行わせ、
前記第２示唆制御手段は、前記第２遊技状態において前記第２設定値示唆を行わせることを特徴とする請求項２乃至６のいずれか１に記載の遊技機。
【請求項８】
予め定められた移行条件が成立した場合に、遊技状態を通常遊技状態から当該通常遊技状態よりも前記特典の獲得期待値が高い特別遊技状態に移行させる移行手段を備えており、
前記第１遊技状態が前記通常遊技状態であり、前記第２遊技状態が前記特別遊技状態であることを特徴とする請求項７に記載の遊技機。
【請求項９】
前記複数段階の設定値の一部については前記実行頻度を同一又は略同一とし、
前記実行頻度を同一又は略同一とする設定値の種類の数を、前記第１設定値示唆よりも前記第２設定値示唆を少なくしたことを特徴とする請求項８に記載の遊技機。
【請求項１０】
前記複数段階の設定値をグループ分けして、同一グループ内における各設定値の前記実行頻度を同一又は略同一とするとともに、異なるグループ間については前記実行頻度を異ならせ、
それら設定値のグループ分けの数を、前記第１設定値示唆よりも前記第２設定値示唆を多くしたことを特徴とする請求項８に記載の遊技機。
【請求項１１】
前記各示唆制御手段は、前記設定値決定手段により決定された設定値がいずれであっても、それぞれ対応する前記各設定値示唆を行わせ得ることを特徴とする請求項２乃至１０のいずれか１に記載の遊技機。
【請求項１２】
前記各示唆制御手段は、前記各設定値示唆を行うか否かの抽選を行う示唆抽選手段を備え、
前記実行頻度は、前記示唆抽選手段における当選確率であることを特徴とする請求項２乃至１１のいずれか１に記載の遊技機。
【請求項１３】
予め定められた移行条件が成立した場合に、前記特典の獲得期待値が通常遊技状態よりも高い特別遊技状態に移行させる特別移行手段を備えており、
前記通常遊技状態として、第１通常遊技状態と、第２通常遊技状態とが予め設定されているとともに、少なくとも前記第１通常遊技状態から前記第２通常遊技状態に移行させる通常移行手段を備えており、
前記第１示唆制御手段又は前記第２示唆制御手段の少なくとも一方である示唆制御手段は、前記第１通常遊技状態において前記移行条件の一部が成立したこと又は前記第１通常遊技状態において前記特別遊技状態に移行したことに基づいて、前記設定値示唆を行わせることを特徴とする請求項１乃至１２のいずれか１に記載の遊技機。
【手続補正書】
【提出日】平成22年5月28日(2010.5.28)
【手続補正１】
【補正対象書類名】特許請求の範囲
【補正対象項目名】請求項２
【補正方法】変更
【補正の内容】
【請求項２】
湿式粉砕後に均質化処理を行うことを特徴とする請求項１に記載の魚節類エキス粉末の製造方法
【手続補正２】
【補正対象書類名】特許請求の範囲
【補正対象項目名】請求項３
【補正方法】変更
【補正の内容】
【請求項３】
均質化方法が、処理圧力が５ＭＰａ以上での高圧ホモゲナイザー処理で、得られた均質化処理液に炭酸ガスを０．０５ｗ／ｗ％以上２．５ｗ／ｗ％以下、好ましくは０．２５ｗ／ｗ％以上２．５ｗ／ｗ％以下の範囲で溶解した液を加圧ノズル型の噴霧乾燥機を用いて噴霧乾燥することを特徴とする、請求項２に記載の魚節類エキス粉末の製造方法
【手続補正３】
【補正対象書類名】特許請求の範囲
【補正対象項目名】請求項４
【補正方法】変更
【補正の内容】
【請求項４】
噴霧乾燥時に添加される粉末化基材が魚節類由来固形分１００部に対し、５部以上１０００部以下であることを特徴とする、請求項１に記載の魚節類エキス粉末の製造方法
【手続補正４】
【補正対象書類名】特許請求の範囲
【補正対象項目名】請求項４
【補正方法】変更
【補正の内容】
【請求項５】
請求項１乃至４のいずれかに記載の製造方法で製造される魚節類エキス粉末
【手続補正書】
【提出日】平成22年5月28日(2010.5.28)
【手続補正１】
【補正対象書類名】特許請求の範囲
【補正対象項目名】請求項２
【補正方法】変更
【補正の内容】
【請求項２】
粉砕時の温度が０℃以上３０℃以下であることを特徴とする、請求項１記載の植物パウダーの製造方法
【手続補正２】
【補正対象書類名】特許請求の範囲
【補正対象項目名】請求項３
【補正方法】変更
【補正の内容】
【請求項３】
粉砕後に均質化処理を行い、噴霧乾燥することを特徴とする、請求項１記載の植物パウダーの製造方法
【手続補正３】
【補正対象書類名】特許請求の範囲
【補正対象項目名】請求項４
【補正方法】変更
【補正の内容】
【請求項４】
均質化方法が、処理圧力が５ＭＰａ以上での高圧ホモゲナイザー処理で、得られた均質化処理液に炭酸ガスを０．０５ｗ／ｗ％以上２．５ｗ／ｗ％以下、好ましくは０．２５ｗ／ｗ％以上２．５ｗ／ｗ％以下の範囲で溶解した液を加圧ノズル型の噴霧機を用いて噴霧乾燥して得られることを特徴とする、請求項３記載の植物パウダーの製造方法
【手続補正４】
【補正対象書類名】特許請求の範囲
【補正対象項目名】請求項５
【補正方法】変更
【補正の内容】
【請求項５】
植物が穀物であることを特徴とする、請求項１記載の植物パウダーの製造方法
【手続補正５】
【補正対象書類名】特許請求の範囲
【補正対象項目名】請求項６
【補正方法】変更
【補正の内容】
【請求項６】
植物が野菜であることを特徴とする、請求項１記載の植物パウダーの製造方法
【手続補正６】
【補正対象書類名】特許請求の範囲
【補正対象項目名】請求項７
【補正方法】変更
【補正の内容】
【請求項７】
植物が香辛料もしくはハーブであることを特徴とする、請求項１記載の植物パウダーの製造方法
【手続補正７】
【補正対象書類名】特許請求の範囲
【補正対象項目名】請求項８
【補正方法】変更
【補正の内容】
【請求項８】
植物が果実であることを特徴とする、請求項１記載の植物パウダーの製造方法
【手続補正８】
【補正対象書類名】特許請求の範囲
【補正対象項目名】請求項９
【補正方法】変更
【補正の内容】
【請求項９】
植物が柑橘類であることを特徴とする、請求項１記載の植物パウダーの製造方法
【手続補正９】
【補正対象書類名】特許請求の範囲
【補正対象項目名】請求項１０
【補正方法】変更
【補正の内容】
【請求項１０】
請求項１乃至９のいずれかに記載の方法で製造される植物パウダー
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
映像・音声情報と複製を制限する利用許諾情報とが含まれたデジタル放送信号を受信し、記録再生する受信装置において、
前記デジタル放送信号は、スクランブルされて伝送された信号であり、
前記デジタル放送信号を受信する受信手段と、
前記受信手段で受信した前記デジタル放送信号をデスクランブルするデスクランブル手段と、
前記利用許諾情報が複製禁止のときに、前記デスクランブル手段でデスクランブルした前記デジタル放送信号に含まれる映像・音声情報の一時的な記録とその再生を行う記録再生手段と、
前記デスクランブル手段でデスクランブルした前記デジタル放送信号に含まれる前記映像・音声情報、または、前記記録再生手段から再生した前記映像・音声情報を出力する出力手段と、
時刻情報により現在時刻を管理する時刻管理手段と、
記録した時からの経過時間を管理する経過時間管理手段と、
前記現在時刻と前記経過時間に基づき前記一時的な記録とその再生を管理する制御手段とを備え、
前記制御手段は、前記記録再生手段により前記映像・音声情報を一時的に記録し再生する際、前記現在時刻と前記経過時間を少なくとも分単位で管理し、記録の開始時からの前記経過時間が予め定められた一時記録許可時間を超えていないときは、記録した前記映像・音声情報は再生可能とし、記録の開始時からの前記経過時間が前記一時記録許可時間を超えているときは、現在時刻から前記一時記録許可時間だけ前の時刻以前に記録した前記映像・音声情報を再生不可とすることを特徴とする受信装置。
【請求項２】
映像・音声信号と複製を制限する利用許諾情報とが含まれたデジタル放送信号を受信し、記録再生する受信方法において、
前記デジタル放送信号は、スクランブルされて伝送された信号であり、
前記デジタル放送信号を受信する受信ステップと、
受信した前記デジタル放送信号をデスクランブルするデスクランブルステップと、
前記利用許諾情報が複製禁止のときに、デスクランブルした前記デジタル放送信号に含まれる映像・音声情報の一時的な記録とその再生を行う記録再生ステップと、
デスクランブルした前記デジタル放送信号に含まれる映像・音声情報、または、一時的に記録し、再生した前記映像・音声情報を出力する出力ステップと、
時刻情報により現在時刻を管理するステップとを有し、
前記記録再生ステップにおいて、前記映像・音声情報を一時的に記録し再生する際、記録時からの経過時間を少なくとも分単位で管理し、記録の開始時からの前記経過時間が予め定められた一時記録許可時間を超えていないときは、記録した前記映像・音声情報は再生可能とし、記録の開始時からの前記経過時間が前記一時記録許可時間を超えているときは、現在時刻から前記一時記録許可時間だけ前の時刻以前に記録した前記映像・音声情報を再生不可とすることを特徴とする受信方法。
【手続補正２】
【補正対象書類名】明細書
【補正対象項目名】発明の名称
【補正方法】変更
【補正の内容】
【発明の名称】受信装置および受信方法
【手続補正３】
【補正対象書類名】明細書
【補正対象項目名】００１０
【補正方法】変更
【補正の内容】
【００１０】
上記目的は、その一例として特許請求の範囲に記載の構成により達成できる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
以下の（１）〜（４）の工程を順に行うことを含む、ゴルフクラブ用シャフトの製造方法。
（１）強化繊維に熱硬化性樹脂を含浸して得られたプリプレグをマンドレルの太径側端部が露出するようにマンドレルに巻きつけて積層してプリプレグ積層体を得る工程、
（２）得られたプリプレグ積層体の末端部と露出したマンドレルとにかかるようにテープ状プリプレグを巻きつけて補強部を形成する工程、
（３）加熱して、プリプレグ及びテープ状プリプレグ中の熱硬化性樹脂を硬化して、マンドレル上に補強部付きゴルフクラブ用シャフトを得る工程、
（４）前記マンドレルを補強部付きゴルフクラブ用シャフトから引き抜く工程
【請求項２】
前記工程（４）に次いで、さらに下記（５）の工程を含む、請求項１に記載のゴルフクラブ用シャフトの製造方法。
（５）ゴルフクラブ用シャフトの太径側端部に補強部が５〜３０ｍｍ残るように、補強部付きゴルフクラブ用シャフトの太径側端部を切断して、太径側端部を補強したゴルフクラブ用シャフトを得る工程
【請求項３】
テープ状プリプレグを巻きつけて形成した補強部とプリプレグ積層体とが重なっている部分の幅が１０ｍｍ以上であり、かつ、露出したマンドレルに１０ｍｍ以上かかるように巻きつける請求項１または２に記載のゴルフクラブ用シャフトの製造方法。
【請求項４】
補強部の厚みが０．１〜１ｍｍである請求項１乃至３のいずれか１項に記載のゴルフクラブ用シャフトの製造方法。
【請求項５】
テープ状プリプレグの幅が２０〜６０ｍｍである請求項１乃至４のいずれか１項に記載のゴルフクラブ用シャフトの製造方法。
【請求項６】
テープ状プリプレグがガラスクロスである請求項１乃至５のいずれか１項に記載のゴルフクラブ用シャフトの製造方法。
【請求項７】
テーパ状のゴルフクラブ用シャフトの太径側端部の外周面に補強部を有するゴルフクラブ用シャフト。
【手続補正２】
【補正対象書類名】明細書
【補正対象項目名】０００５
【補正方法】変更
【補正の内容】
【０００５】
本発明のゴルフクラブ用シャフトの製造方法は、以下の（１）〜（４）の工程を順に行うことを含むことを特徴とする。
（１）強化繊維に熱硬化性樹脂を含浸して得られたプリプレグをマンドレルの太径側端部が露出するようにマンドレルに巻きつけて積層してプリプレグ積層体を得る工程、
（２）得られたプリプレグ積層体の末端部と露出したマンドレルとにかかるようにテープ状プリプレグを巻きつけて補強部を形成する工程、
（３）加熱して、プリプレグ及びテープ状プリプレグ中の熱硬化性樹脂を硬化して、マンドレル上に補強部付きゴルフクラブ用シャフトを得る工程、
（４）前記マンドレルを補強部付きゴルフクラブ用シャフトから引き抜く工程
本発明のゴルフクラブ用シャフトの製造方法においては、前記工程（４）に次いで、さらに下記（５）の工程を含むことが好ましい。
（５）ゴルフクラブ用シャフトの太径側端部に補強部が５〜３０ｍｍ残るように、補強部付きゴルフクラブ用シャフトの太径側端部を切断して、太径側端部を補強したゴルフクラブ用シャフトを得る工程
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
被検体の内部に挿入される挿入部を有して前記被検体の内部を照明する照明装置であって、
前記挿入部の基端側に設けられて照射光を発する光源部と、
前記挿入部の基端側から先端側へ配設されて、前記光源部からの前記照射光を導光するライトガイドと、
該ライトガイドの外表面から漏れ出す漏れ光の光量を検出する光検出部と、
を備え、
前記光検出部は、前記ライトガイドの周方向または軸方向に異なる複数箇所からの漏れ光の光量を検出することを特徴とする照明装置。
【請求項２】
請求項１に記載の照明装置において、
前記ライトガイドは、少なくとも一回折り返しまたは巻き回して、軸方向に異なる複数箇所が、所定の検出位置で束ねられて並べて配設されていて、
前記光検出部は、前記検出位置で、前記ライトガイドの軸方向に異なる複数箇所からの前記漏れ光の光量を同時に検出することを特徴とする照明装置。
【請求項３】
請求項１または請求項２に記載の照明装置において、
前記光検出部は、前記周方向または前記軸方向に異なる箇所で、それぞれ前記漏れ光の光量を検出する複数の光センサと、
複数の該光センサから出力される検出信号を合成する合成手段と、を備えることを特徴とする照明装置。
【請求項４】
請求項１から請求項３のいずれかに記載の照明装置において、
前記光検出部は、前記ライトガイドの少なくとも一部の範囲に外装され、該ライトガイドの周面の内、対応する前記範囲からの前記漏れ光を反射させて集光する反射手段と、
該反射手段によって集光された前記漏れ光の光量を検出する光センサと、を備えることを特徴とする照明装置。
【請求項５】
請求項１から請求項４のいずれかに記載の照明装置において、
前記ライトガイドの先端に設けられて、レーザ光によって励起されて照明光を射出することが可能な蛍光部材を備え、
前記光源部は、前記照射光としてレーザ光を発し、前記ライトガイドに導光されて前記蛍光部材を励起させることを特徴とする照明装置。
【請求項６】
請求項１から請求項５のいずれかに記載の照明装置と、
前記挿入部の先端に設けられ、前記被検体の内部を観察する観察手段と、を備えることを特徴とする内視鏡装置。
【手続補正２】
【補正対象書類名】明細書
【補正対象項目名】０００６
【補正方法】変更
【補正の内容】
【０００６】
上記課題を解決するために、この発明は以下の手段を提案している。
本発明は、被検体の内部に挿入される挿入部を有して前記被検体の内部を照明する照明装置であって、前記挿入部の基端側に設けられて照射光を発する光源部と、前記挿入部の基端側から先端側へ配設されて、前記光源部からの前記照射光を導光するライトガイドと、該ライトガイドの外表面から漏れ出す漏れ光の光量を検出する光検出部と、を備え、前記光検出部は、前記ライトガイドの周方向または軸方向に異なる複数箇所からの漏れ光の光量を検出することを特徴としている。
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
高周波磁場パルスおよび傾斜磁場パルスを制御し、非直交系計測空間データとなるエコー信号を計測する撮影手段と、前記非直交系計測空間データを直交系計測空間データに再配置するグリッディング手段と、前記直交系計測空間データを再構成して画像化する画像形成手段とを備える磁気共鳴イメージング装置であって、
前記撮影手段は、前記非直交系計測空間データの収集に用いる高周波磁場パルスに複数種のフリップ角を設定するフリップ角設定手段を備え、
前記グリッディング手段は、フリップ角の異なる非直交系計測空間データを用いて前記再配置を行うこと
を特徴とする磁気共鳴イメージング装置。
【請求項２】
請求項１記載の磁気共鳴イメージング装置であって、
前記グリッディング手段は、フリップ角の異なる非直交系計測空間データの重み付け加算を用いて前記再配置を行うこと
を特徴とする磁気共鳴イメージング装置。
【請求項３】
請求項２記載の磁気共鳴イメージング装置であって、
前記グリッディング手段は、当該非直交系計測空間データの収集に用いた前記高周波磁場パルスのフリップ角に応じた重み係数を用いて前記重み付け加算を行うこと
を特徴とする磁気共鳴イメージング装置。
【請求項４】
請求項１乃至３のいずれか一項に記載の磁気共鳴イメージング装置であって、
前記撮影手段は、前記エコー信号の計測を複数のセグメントに分けて実行し、
前記フリップ角設定手段は、前記フリップ角を、セグメント毎に変化させること
を特徴とする磁気共鳴イメージング装置。
【請求項５】
請求項１乃至３のいずれか一項に記載の磁気共鳴イメージング装置であって、
前記フリップ角設定手段は、前記フリップ角を連続的に変化させること
を特徴とする磁気共鳴イメージング装置。
【請求項６】
請求項１乃至５いずれか１項に記載の磁気共鳴イメージング装置であって、
前記グリッディング手段は、さらに、前記エコー信号の計測時刻に応じた前記重み係数を用いること
を特徴とする磁気共鳴イメージング装置。
【請求項７】
請求項１乃至６いずれか１項に記載の磁気共鳴イメージング装置であって、
前記撮影手段は、全計測を計測空間における回転角の異なる複数のブレードに分割し、
前記ブレード内で位相エンコード量を変えた複数のエコー信号を取得する計測を行い、
前記フリップ角設定手段は、前記ブレード内でフリップ角を変更すること
を特徴とする磁気共鳴イメージング装置。
【請求項８】
請求項７記載の磁気共鳴イメージング装置であって、
前記フリップ角設定手段は、前記フリップ角を前記ブレードの中央で所望の値となるように単調に変化させること
を特徴とする磁気共鳴イメージング装置。
【請求項９】
請求項７記載の磁気共鳴イメージング装置であって、
前記撮影手段は、前記ブレード内で変更されるフリップ角が最大であるときに計測されたエコー信号が計測空間の原点を通るデータとなるように、前記ブレード内で計測するエコー信号の計測順序を制御すること
を特徴とする磁気共鳴イメージング装置。
【請求項１０】
請求項７記載の磁気共鳴イメージング装置であって、
前記撮影手段は、前記ブレード内で変更されるフリップ角が最大であるときに計測されたエコー信号が、計測空間の原点を通るデータとなるように、前記計測空間における前記ブレードの位置を制御すること
を特徴とする磁気共鳴イメージング装置。
【請求項１１】
請求項１乃至９いずれか１項記に載の磁気共鳴イメージング装置であって、
前記グリッディング手段は、前記重み係数を作用させる前に、前記エコー信号の振幅補正を行うこと
を特徴とする磁気共鳴イメージング装置。
【請求項１２】
請求項１乃至１１いずれか１項に記載の磁気共鳴イメージング装置であって、
前記グリッディング手段は、前記フリップ角に前記計測空間の原点からの距離を加味し、前記重み係数を設定すること
を特徴とする磁気共鳴イメージング装置。
【請求項１３】
請求項１乃至１２いずれか１項に記載の磁気共鳴イメージング装置であって、
前記グリッディング手段は、前記重み係数に、前記非直交系計測空間データと、当該非直交系計測空間データが再配置される直交系計測空間データとの間の距離をさらに加味すること
を特徴とする磁気共鳴イメージング装置。
【手続補正２】
【補正対象書類名】明細書
【補正対象項目名】００１１
【補正方法】変更
【補正の内容】
【００１１】
具体的には、高周波磁場パルスおよび傾斜磁場パルスを制御し、非直交系計測空間データとなるエコー信号を計測する撮影手段と、前記非直交系計測空間データを直交系計測空間データに再配置するグリッディング手段と、前記直交系計測空間データを再構成して画像化する画像形成手段とを備える磁気共鳴イメージング装置であって、前記撮影手段は、前記非直交系計測空間データの収集に用いる高周波磁場パルスに複数種のフリップ角を設定するフリップ角設定手段を備え、前記グリッディング手段は、フリップ角の異なる非直交系計測空間データを用いて前記再配置を行うことを特徴とする磁気共鳴イメージング装置を提供する。
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
可視光源を持ち、可視光にて被験者眼眼底を照明する照明光学系と、
前記照明光学系によって照明された被験者眼眼底からの反射光を受光する撮像素子を有する撮像光学系と、
通常のカラー眼底画像を取得する眼底画像撮影モードと，網膜刺激による網膜の内因性信号の変化に基づいて網膜機能を計測する網膜機能計測モードと，を切り換えるモード切換スイッチと、
前記照明光学系及び前記撮像光学系を制御する制御ユニットと、を備え、
前記制御ユニットは、網膜機能計測モードに設定された場合、被験者眼眼底が前記照明光学系によって照明されるときの単位時間当たりの光量をカラー眼底画像撮影時よりも少なくすると共に、撮影時間の異なる第１可視眼底画像と第２の可視眼底画像とを前記撮像素子により取得することを特徴とする眼底カメラ。
【請求項２】
請求項１の眼底カメラにおいて、赤外光によって照明された被験者眼眼底からの反射光を受光する眼底観察用の撮像素子を有する観察光学系を備え、前記照明光学系は、可視域から近赤外域までの光を発する照明光源と、眼底観察用の赤外光を透過する赤外フィルタと網膜機能計測用の可視光を透過する可視フィルタとを照明光路上に選択的に挿脱する挿脱機構と、を備えることを特徴とする眼底カメラ。
【請求項３】
請求項２の眼底カメラにおいて、
検者によって操作される撮影スイッチを有し、
前記制御ユニットは、前記撮影スイッチからの信号に基づいて前記挿脱機構を駆動制御して、前記照明光学系の照明光路に前記可視フィルタを挿入させると共に、前記照明光路から前記赤外フィルタを退避させることを特徴とする眼底カメラ。
【手続補正２】
【補正対象書類名】明細書
【補正対象項目名】０００７
【補正方法】変更
【補正の内容】
【０００７】
（１）  可視光源を持ち、可視光にて被験者眼眼底を照明する照明光学系と、前記照明光学系によって照明された被験者眼眼底からの反射光を受光する撮像素子を有する撮像光学系と、通常のカラー眼底画像を取得する眼底画像撮影モードと，網膜刺激による網膜の内因性信号の変化に基づいて網膜機能を計測する網膜機能計測モードと，を切り換えるモード切換スイッチと、前記照明光学系及び前記撮像光学系を制御する制御ユニットと、を備え、前記制御ユニットは、網膜機能計測モードに設定された場合、被験者眼眼底が前記照明光学系によって照明されるときの単位時間当たりの光量をカラー眼底画像撮影時よりも少なくすると共に、撮影時間の異なる第１可視眼底画像と第２の可視眼底画像とを前記撮像素子により取得することを特徴とする。
（２）  （１）の眼底カメラにおいて、赤外光によって照明された被験者眼眼底からの反射光を受光する眼底観察用の撮像素子を有する観察光学系を備え、前記照明光学系は、可視域から近赤外域までの光を発する照明光源と、眼底観察用の赤外光を透過する赤外フィルタと網膜機能計測用の可視光を透過する可視フィルタとを照明光路上に選択的に挿脱する挿脱機構と、を備えることを特徴とする。
（３）  （２）の眼底カメラにおいて、検者によって操作される撮影スイッチを有し、前記制御ユニットは、前記撮影スイッチからの信号に基づいて前記挿脱機構を駆動制御して、前記照明光学系の照明光路に前記可視フィルタを挿入させると共に、前記照明光路から前記赤外フィルタを退避させることを特徴とする。
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
被検眼角膜に測定指標を投影しその反射光を受光することにより被検眼角膜前面における角膜形状を測定する角膜形状測定手段を有し、眼内に挿入される眼内レンズのパワーを決定するために用いられる被検眼の角膜データを得る眼科測定装置において、
前記角膜形状測定手段によって取得された角膜データが屈折矯正手術によって矯正された術後の角膜データである場合に，角膜の周辺領域に形成された未矯正領域における術後の角膜データに基づいて術前の角膜データを予測値として算出する術前角膜データ算出手段と、
角膜の中心領域に形成された矯正領域における術後の角膜データと前記術前の角膜データに基づいて屈折矯正手術によって取り除かれた角膜矯正データを算出する角膜矯正データ算出手段と、
を備えることを特徴とする眼科測定装置。
【請求項２】
請求項１の術前角膜データ算出手段は、未矯正領域に対応する角膜データを特定するために、前記術後の角膜データを、未矯正領域に対応する角膜データと、屈折矯正手術によって矯正された矯正領域に対応する角膜データと、に分割するデータ分割手段を持つことを特徴とする眼科測定装置。
【請求項３】
請求項１の眼科測定装置において、前記演算手段は、角膜矯正データ算出手段によって算出された角膜矯正データを用いて眼内レンズのパワーを算出する眼内レンズパワー算出手段を有し、
前記出力手段は、算出された眼内レンズのパワーを出力することを特徴とする眼科測定装置。
【手続補正２】
【補正対象書類名】明細書
【補正対象項目名】０００８
【補正方法】変更
【補正の内容】
【０００８】
（１）  被検眼角膜に測定指標を投影しその反射光を受光することにより被検眼角膜前面における角膜形状を測定する角膜形状測定手段を有し、眼内に挿入される眼内レンズのパワーを決定するために用いられる被検眼の角膜データを得る眼科測定装置において、前記角膜形状測定手段によって取得された角膜データが屈折矯正手術によって矯正された術後の角膜データである場合に，角膜の周辺領域に形成された未矯正領域における術後の角膜データに基づいて術前の角膜データを予測値として算出する術前角膜データ算出手段と、角膜の中心領域に形成された矯正領域における術後の角膜データと前記術前の角膜データに基づいて屈折矯正手術によって取り除かれた角膜矯正データを算出する角膜矯正データ算出手段と、を備えることを特徴とする。
（２）  （１）の術前角膜データ算出手段は、未矯正領域に対応する角膜データを特定するために、前記術後の角膜データを、未矯正領域に対応する角膜データと、屈折矯正手術によって矯正された矯正領域に対応する角膜データと、に分割するデータ分割手段を持つことを特徴とする。
（３）  （１）の眼科測定装置において、前記演算手段は、角膜矯正データ算出手段によって算出された角膜矯正データを用いて眼内レンズのパワーを算出する眼内レンズパワー算出手段を有し、前記出力手段は、算出された眼内レンズのパワーを出力することを特徴とする。
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
基板上に複数の化合物半導体素子が分離帯域を介して配列された化合物半導体素子ウェハーを分割する化合物半導体素子の製造方法であって、その分離帯域の基板表面（半導体側）に、化合物半導体層が存在する状態でレーザー法により割溝を形成することを特徴とする化合物半導体素子の製造方法。
【請求項２】
化合物半導体がＩＩＩ族窒化物半導体である請求項１に記載の化合物半導体素子の製造方法。
【請求項３】
基板がサファイア、ＳｉＣおよび窒化物半導体単結晶からなる群から選ばれた一種である請求項１または２に記載の化合物半導体素子の製造方法。
【請求項４】
分離帯域の化合物半導体層に溝部を形成する工程をさらに有することを特徴とする請求項１〜３のいずれか一項に記載の化合物半導体素子の製造方法。
【請求項５】
溝部の底面が負極形成面と同一平面上にあることを特徴とする請求項４に記載の化合物半導体素子の製造方法。
【請求項６】
分離帯域に存在する化合物半導体層の厚さが、０．５μｍ以上であることを特徴とする請求項１〜５のいずれか一項に記載の化合物半導体素子の製造方法。
【請求項７】
割溝の断面形状がＶ字型またはＵ字型であることを特徴とする請求項１〜６のいずれか一項に記載の化合物半導体素子の製造方法。
【請求項８】
割溝を形成する工程の後に、基板を背面から薄板化する工程をさらに有することを特徴とする請求項１〜７のいずれか一項に記載の化合物半導体素子の製造方法。
【請求項９】
レーザー法により割溝を形成する際に、レーザー加工部にガスを吹き付けつつ行なうことを特徴とする請求項１〜８のいずれか一項に記載の化合物半導体素子の製造方法。
【請求項１０】
レーザービームのスポット形状が楕円であることを特徴とする請求項１〜９のいずれか一項に記載の化合物半導体素子の製造方法。
【請求項１１】
レーザー法により割溝を形成した後、燐酸、硫酸または塩酸に浸漬し、割溝周辺部の汚れをウェットエッチングで選択的に除去することを特徴とする請求項１〜１０のいずれか一項に記載の化合物半導体素子の製造方法。
【請求項１２】
請求項１〜１１のいずれか一項に記載の化合物半導体素子の製造方法によって製造された化合物半導体素子。
【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
コピー管理情報によってコピーが管理された映像音声情報を記録再生する記録再生装置であって、
第１の記録媒体に記録されている前記映像音声情報を前記第１の記録媒体より再生する再生手段と、
前記再生手段が前記第１の記録媒体より再生した前記映像音声情報を出力する出力手段と、
前記再生手段が前記第１の記録媒体より再生した前記映像音声情報を第２の記録媒体に記録する記録手段と、
前記再生手段が前記第１の記録媒体より再生した前記映像音声情報の前記記録手段における前記第２の記録媒体への記録を管理する管理手段とを備え、
前記管理手段は、前記第１の記録媒体に記録されている前記映像音声情報が前記コピー管理情報によってコピーが禁止されている場合に、外部の管理装置と通信し、前記外部の管理装置より前記第１の記録媒体に記録されている前記映像音声情報のコピーの許可が得られたときには、前記再生手段が前記第１の記録媒体より再生した前記映像音声情報を、前記記録手段が前記第２の記録媒体に記録できるようにすることを特徴とする記録再生装置。
【請求項２】
コピー管理情報によってコピーが管理された映像音声情報を記録再生装置において記録再生する記録再生方法であって、
第１の記録媒体に記録されている前記映像音声情報を前記第１の記録媒体より再生する再生ステップと、
前記第１の記録媒体より再生した前記映像音声情報を出力する出力ステップと、
前記第１の記録媒体より再生した前記映像音声情報を第２の記録媒体に記録する記録ステップと、
前記第１の記録媒体より再生した前記映像音声情報の前記第２の記録媒体への記録を管理する管理ステップとを備え、
前記管理ステップは、前記第１の記録媒体に記録されている前記映像音声情報が前記コピー管理情報によってコピーが禁止されている場合に、外部の管理装置と通信し、前記外部の管理装置より前記第１の記録媒体に記録されている前記映像音声情報のコピーの許可が得られたときには、前記第１の記録媒体より再生した前記映像音声情報を前記第２の記録媒体に記録できるようにすることを特徴とする記録再生方法。
【手続補正２】
【補正対象書類名】明細書
【補正対象項目名】発明の名称
【補正方法】変更
【補正の内容】
【発明の名称】記録再生装置および記録再生方法
【手続補正書】
【提出日】平成22年4月6日(2010.4.6)
【手続補正１】
【補正対象書類名】明細書
【補正対象項目名】０００３
【補正方法】変更
【補正の内容】
【０００３】
【特許文献１】特開平０６−２２１８８号公報
【特許文献２】特開２０００−１８７９７１号公報
【特許文献３】特開２００５−０６３５３４号公報
【特許文献４】特開２００５−１８４６６８号公報
【手続補正２】
【補正対象書類名】明細書
【補正対象項目名】０００６
【補正方法】変更
【補正の内容】
【０００６】
また、記録媒体としてディスクを使用した装置では、記録媒体カバーを開いて記録媒体を装脱着する際、ディスクにデータを記録しあるいは記録したデータを読み込むために、レーザー照射を行うピックアップ部が露出する。このためディスクを装脱着する使用者が誤って、ピックアップ表面のレンズ部に触れてしまい、それによる汚れによってデータの記録及び読取りエラーを発生させるおそれがある等の問題もあった。
更に特許文献２〜４においても、この種の装置における記録媒体カバーまわりの具体的構成が開示されている。
【手続補正書】
【提出日】平成22年4月2日(2010.4.2)
【手続補正１】
【補正対象書類名】明細書
【補正対象項目名】０００３
【補正方法】変更
【補正の内容】
【０００３】
例えば、特許文献１には、画像から構図情報を抽出してデータベースに格納しておき、ビデオカメラやイメージスキャナから入力された画像の被写体を、データベースに格納された構図情報に基づいて背景画像に再配置して合成する技術が記載されている。
また、例えば、特許文献２には、撮影に先立ち、撮影する画像の構図を設定し、撮影時には、撮影しようとする画像と予め設定された構図とのずれを判定し、ずれが有る場合に所定の報知を行う技術が記載されている。
【特許文献１】特開２０００−２００３５４号公報
【特許文献２】特開２００５−５１５４１号公報
【手続補正書】
【提出日】平成22年4月14日(2010.4.14)
【手続補正１】
【補正対象書類名】明細書
【補正対象項目名】０００４
【補正方法】変更
【補正の内容】
【０００４】
ところで、この種のデジタルスチルカメラで撮影したデジタル画像を保存のために、ＣＤ−Ｒ、ＤＶＤ等のディスク記憶媒体に記憶して保存することが一般的になってきている。さらに、このようなＣＤ−Ｒ、ＤＶＤ等のディスク記憶媒体の表面がプリンタブルタイプである場合に、保存した写真の一部を使った画像を、該ディスク記憶媒体の表面に印刷することも一般的となっている（例えば、特許文献１参照）。
また、音楽用ＣＤ−Ｒやデータ用ＤＶＤなどのラベルをプリンタで印刷することも一般に行われている。一方、証明写真用のファイルを作成するために、複数のサイズの長方形のテンプレートの中からユーザー所望のテンプレートをスルー画像中に読み出して被写体をトリミングすることにより、被写体の証明写真用のファイルを作成する技術も存在する（例えば、特許文献２参照）。
【手続補正２】
【補正対象書類名】明細書
【補正対象項目名】０００５
【補正方法】変更
【補正の内容】
【０００５】
【特許文献１】特開２００３−１８７３号公報
【特許文献２】特開２００４−２０７８１３号公報
【手続補正３】
【補正対象書類名】明細書
【補正対象項目名】０００６
【補正方法】変更
【補正の内容】
【０００６】
しかし、上述したＣＤ−ＲやＤＶＤ等のディスク記憶媒体の表面は、いわゆる円盤状であって、印刷すべき領域がいわゆるドーナツ形状であるため、特許文献２に記載した技術を用いたとしても、長方形の写真から所望の部位をうまくカットして印刷することが難しいという問題があった。
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
ネットワーク時間同期化を有するシステムにおいて、
通信ネットワークを介してタイミングパケットを送信する第１の装置と、
通信ネットワークを介してタイミングパケットを受信すると共に、前記タイミングパケットに応答してネットワーク遅延を判定し、前記ネットワーク遅延が調節可能な閾値を超える場合に、前記タイミングパケットを破棄する第２の装置と、
を有するシステム。
【請求項２】
前記第２の装置は、前記通信ネットワーク上における最小ネットワーク遅延を判定し、前記ネットワーク遅延が、調節可能な量を上回って、前記最小ネットワーク遅延よりも大きい場合に、前記タイミングパケットを破棄する請求項１記載のシステム。
【請求項３】
前記調節可能な閾値は、時間的な同期を維持するために十分な遅延計測の品質と遅延計測の回数との間のバランスを提供する請求項１に記載のシステム。
【請求項４】
前記調節可能な閾値は、タイミングパケットの転送における遅延変動の期間から導出される請求項１記載のシステム。
【請求項５】
前記第２の装置は、前記タイミングパケットに応答して時間オフセットを判定し、前記ネットワーク遅延が前記調節可能な閾値を超える場合に、前記時間オフセットを破棄する請求項１記載のシステム。
【請求項６】
ネットワーク時間同期化を有する装置において、
ローカルクロックと、
通信ネットワークを介してタイミングパケットを受信すると共に、前記タイミングパケットに応答してネットワーク遅延を判定し、前記ネットワーク遅延が調節可能な閾値を超える場合に、前記タイミングパケットを破棄する時間同期化回路と、
を有する装置。
【請求項７】
前記時間同期化回路は、前記通信ネットワーク上における最小ネットワーク遅延を判定し、前記ネットワーク遅延が、調節可能な量を上回って、前記最小ネットワーク遅延よりも大きい場合に、前記タイミングパケットを破棄する請求項６記載の装置。
【請求項８】
前記調節可能な閾値は、時間的な同期を維持するために十分な遅延計測の品質と遅延計測の回数との間のバランスを提供する請求項６記載の装置。
【請求項９】
前記調節可能な閾値は、タイミングパケットの転送における遅延変動の期間から導出される請求項６記載の装置。
【請求項１０】
前記時間同期化回路は、前記タイミングパケットに応答してローカルクロックの時間オフセットを判定し、前記ネットワーク遅延が前記調節可能閾値を超える場合に前記時間オフセットを破棄する請求項６記載の装置。
【手続補正２】
【補正対象書類名】明細書
【補正対象項目名】０００６
【補正方法】変更
【補正の内容】
【０００６】
過度なネットワーク遅延を有したタイミングパケットによってローカルクロックに対す
る不要な調節が生じないように、ネットワークの時間同期化から遅延変動を除去する技法
が開示される。この技法によるネットワーク時間同期化を有するシステムは、通信ネットワークを介してタイミングパケットを送信する第１の装置と、通信ネットワークを介してタイミングパケットを受信すると共に、タイミングパケットに応答してネットワーク遅延を判定し、ネットワーク遅延が調節可能な閾値を超える場合に、タイミングパケットを破棄する第２の装置と、を備える。調節可能な閾値により、時間的な同期を維持するために十分な遅延計測の回数に対して、遅延変動の観点において遅延計測の品質をバランスさせることができる。
【手続補正３】
【補正対象書類名】明細書
【補正対象項目名】発明の名称
【補正方法】変更
【補正の内容】
【発明の名称】ネットワークの時間同期化を有するシステム及び装置
【手続補正書】
【提出日】平成21年12月9日(2009.12.9)
【手続補正１】
【補正対象書類名】特許請求の範囲
【補正対象項目名】全文
【補正方法】変更
【補正の内容】
【特許請求の範囲】
【請求項１】
第１の装置の第１のクロックと第２の装置の第２のクロックとの時間同期化方法であって、
前記第１の装置において、前記第１の装置と前記第２の装置との間の通信リンク上を伝送されるタイミング情報の送信時間および受信時間を取得するステップであって、前記送信時間および前記受信時間の各々は、前記第１のクロックの時間または前記第２のクロックの時間に基づいている、ステップと、
前記第１の装置を用いて、前記送信時間および前記受信時間から、（ｉ）前記第１のクロックの時間と前記第２のクロックの時間との間のクロックオフセット、および（ｉｉ）前記通信リンク上の伝播遅延における非対称性を決定するステップと、
前記非対称性を前記クロックオフセットの決定に取り入れるステップと、
を含む、時間同期化方法。
【請求項２】
前記非対称性を決定するステップが、前記送信時間および前記受信時間を用いて前記通信リンクの第１の部分上の伝播遅延と前記通信リンクの第２の部分上の伝播遅延とを決定するステップを含む、請求項１に記載の方法。
【請求項３】
前記通信リンクを介してタイミングパケットの第１の組を交換し、該タイミングパケットの第１の組に応答して第１のクロックオフセットを決定するステップと、
前記通信リンクの第１および第２の部分のそれぞれにおける伝送方向を逆転させるステップと、
前記通信リンクを介してタイミングパケットの第２の組を交換し、該タイミングパケットの第２の組に応答して第２のクロックオフセットを決定するステップと、
前記第１および第２のクロックオフセットに応答して前記非対称性を決定するステップと、
をさらに含む、請求項１に記載の方法。
【請求項４】
前記方向を逆転させるステップが、前記第２の装置内において送信ラインと受信ラインとを逆転させるステップを含む、請求項３に記載の方法。
【請求項５】
前記方向を逆転させるステップが、前記第１の装置内において送信ラインと受信ラインとを逆転させるステップをさらに含む、請求項４に記載の方法。
【請求項６】
通信リンクを介してタイミング情報を交換することにより時間同期化を行う手段と、
前記タイミング情報に関する送信時間および受信時間から、（ｉ）第１の装置の第１のクロックの時間と第２の装置の第２のクロックの時間との間のクロックオフセット、および（ｉｉ）前記通信リンク上の伝播遅延における非対称性を決定する手段であって、前記送信時間および前記受信時間の各々は、前記第１のクロックの時間または前記第２のクロックの時間に基づいており、前記非対称性により、前記クロックオフセットに対する補正が可能となる、手段と、
を備えている装置。
【請求項７】
前記非対称性を決定する手段が、タイム・ドメイン・リフレクトメトリ（ＴＤＲ）回路を備えている、請求項６に記載の装置。
【請求項８】
前記装置が、前記時間同期化のためのマスタクロックを備えている、請求項６に記載の装置。
【請求項９】
前記第１のクロックおよび前記第２クロックのうちの一方がマスタクロックであり、前記第１のクロックおよび前記第２クロックのうちの他方がスレーブクロックである、請求項６に記載の装置。
【請求項１０】
前記時間同期化が、ＩＥＥＥ１５８８時間同期化プロトコルにしたがって実行される、請求項６に記載の装置。
【請求項１１】
通信リンクを介してタイミング情報を交換することにより時間同期化を行う手段と、
非対称性により第１の装置と第２の装置との間のクロックオフセットに対する補正が可能となるように、前記通信リンク上の伝播遅延における前記非対称性を決定する手段であって、該非対称性を決定する手段は、前記通信リンク上の第１の部分および第２の部分のそれぞれにおける伝送方向を逆転させる手段を備えている、装置。
【手続補正書】
【提出日】平成21年12月2日(2009.12.2)
【手続補正１】
【補正対象書類名】特許請求の範囲
【補正対象項目名】全文
【補正方法】変更
【補正の内容】
【特許請求の範囲】
【請求項１】
デジタル画像フレームにフィルムグレインを与える方法であって、
前記デジタル画像フレームに関連する入力ビデオデータストリームのピクセルを受け取ること、
画像フレーム内の前記ピクセルの位置に関連するアドレスを求めること、
フィルムグレインを表すノイズ値のマスクを生成すること、
前記求められたアドレスに応じて前記ノイズ値のマスクからエントリを選択すること、及び
前記選択されたエントリを前記受け取ったピクセルと合成することであって、それによって、前記デジタル画像フレームにフィルムグレインが付加されて、グレインの入ったデジタル画像フレームが生成される、合成すること
を含む、デジタル画像フレームにフィルムグレインを与える方法。
【請求項２】
前記選択されたエントリは、前記受け取ったピクセルに関連するルミナンス信号と合成される、請求項１に記載のデジタル画像フレームにフィルムグレインを与える方法。
【請求項３】
前記入力ビデオデータストリームは、圧縮解除された画像情報を含む、請求項１に記載のデジタル画像フレームにフィルムグレインを与える方法。
【請求項４】
前記ノイズ値のマスクは２次元フィルタを用いて生成される、請求項１に記載のデジタル画像フレームにフィルムグレインを与える方法。
【請求項５】
合成すべきフィルムグレインの量がスケーリングファクタに応じて選択される、請求項１に記載のデジタル画像フレームにフィルムグレインを与える方法。
【請求項６】
前記ピクセルの位置に関連する前記アドレスを求めるためにカウンタが用いられる、請求項１に記載のデジタル画像フレームにフィルムグレインを与える方法。
【請求項７】
デジタル画像フレームにフィルムグレインを与えるシステムであって、
前記デジタル画像フレームに関連する入力ビデオデータストリームのピクセルを受け取るように構成される入力部と、
画像フレーム内の前記ピクセルの位置に関連するアドレスを計算するように構成されるアドレス発生器と、
それに応じて、フィルムグレインを表すノイズ値のマスクを与えるように構成されるマスクメモリと、
前記計算されたアドレスに応じて前記マスクメモリからエントリを選択すること、及び
前記選択されたエントリを前記受け取ったピクセルと合成することであって、それによって、前記デジタル画像フレームにフィルムグレインが付加されて、グレインの入ったデジタル画像フレームが生成される、合成すること
を備える、デジタル画像フレームにフィルムグレインを与えるシステム。
【請求項８】
前記選択されたエントリは、前記受け取ったピクセルに関連するルミナンス信号と合成される、請求項７に記載のデジタル画像フレームにフィルムグレインを与えるシステム。
【請求項９】
前記入力ビデオデータストリームは、圧縮解除された画像情報を含む、請求項７に記載のデジタル画像フレームにフィルムグレインを与えるシステム。
【請求項１０】
前記ノイズ値のマスクは２次元フィルタを用いて生成される、請求項７に記載のデジタル画像フレームにフィルムグレインを与えるシステム。
【請求項１１】
合成すべきフィルムグレインの量がスケーリングファクタに応じて選択される、請求項７に記載のデジタル画像フレームにフィルムグレインを与えるシステム。
【請求項１２】
前記ピクセルの位置に関連する前記アドレスを求めるためにカウンタが用いられる、請求項７に記載のデジタル画像フレームにフィルムグレインを与えるシステム。
【請求項１３】
デジタル画像フレームにフィルムグレインを与えるシステムであって、
前記デジタル画像フレームに関連する入力ビデオデータストリームのピクセルを受け取る手段と、
画像フレーム内の前記ピクセルの位置に関連するアドレスを求める手段と、
フィルムグレインを表すノイズ値のマスクを生成する手段と、
前記求められたアドレスに応じて前記ノイズ値のマスクからエントリを選択する手段と、
前記選択されたエントリを前記受け取ったピクセルと合成する手段であって、それによって、前記デジタル画像フレームにフィルムグレインが付加されて、グレインの入ったデジタル画像フレームが生成される、合成する手段と
を備える、デジタル画像フレームにフィルムグレインを与えるシステム。
【請求項１４】
前記選択されたエントリは、前記受け取ったピクセルに関連するルミナンス信号と合成される、請求項１３に記載のデジタル画像フレームにフィルムグレインを与えるシステム。
【請求項１５】
前記入力ビデオデータストリームは、圧縮解除された画像情報を含む、請求項１３に記載のデジタル画像フレームにフィルムグレインを与えるシステム。
【請求項１６】
前記ノイズ値のマスクは２次元フィルタを用いて生成される、請求項１３に記載のデジタル画像フレームにフィルムグレインを与えるシステム。